(57)【特許請求の範囲】
【請求項１】
前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結する可撓性ホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第１カバーのホース部材側にホース部材外周を被う蛇腹状のプロテクターを装着したことを特徴とする電気掃除機。
【請求項２】
前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結する蛇腹状のホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第１カバー近傍のホース部材外周を被う蛇腹状のプロテクターを設け、該プロテクターの蛇腹の凹凸の旋回方向を、ホース部材の蛇腹の凹凸の旋回方向と交差するように形成したことを特徴とする電気掃除機。
【請求項３】
前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結する蛇腹状のホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第１カバー近傍のホース部材外周を被う蛇腹状のプロテクターを設け、該プロテクターの蛇腹の凹凸の旋回方向を、ホース部材の蛇腹の凹凸の旋回方向と一致するように形成したことを特徴とする電気掃除機。
【請求項４】
前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結するホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第１カバー近傍のホース部材外周を被う蛇腹状のプロテクターを設け、該プロテクターの蛇腹の凹凸のピッチを、凹凸の高さ寸法より大きくしたことを特徴とする電気掃除機。
【請求項５】
前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結するホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第１カバー近傍のホース部材外周を被う蛇腹状のプロテクターを設け、該プロテクターの蛇腹の凹凸の高さ寸法を、プロテクター内面とホース部材との隙間より大きく形成したことを特徴とする電気掃除機。
【請求項６】
前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結するホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第１カバー近傍のホース部材外周を被う蛇腹状のプロテクターを設け、該プロテクターの蛇腹の凹凸のピッチを、第１カバーから離れるにしたがって漸次狭くなるように形成したことを特徴とする電気掃除機。
【請求項７】
前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結するホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第１カバー近傍のホース部材外周を被う蛇腹状のプロテクターを設け、該プロテクターの蛇腹の凹凸の高さ寸法を、第１カバーから離れるにしたがって漸次高くなるように形成したことを特徴とする電気掃除機。
【請求項８】
前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結する可撓性ホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第２カバーのホース部材側にホース部材外周を被う蛇腹状のプロテクターを装着したことを特徴とする電気掃除機。
【請求項９】
前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結する蛇腹状のホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第２カバー近傍のホース部材外周を被う蛇腹状のプロテクターを設け、該プロテクターの蛇腹の凹凸の旋回方向を、ホース部材の蛇腹の凹凸の旋回方向と交差するように形成したことを特徴とする電気掃除機。
【請求項１０】
前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結する蛇腹状のホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第２カバー近傍のホース部材外周を被う蛇腹状のプロテクターを設け、該プロテクターの蛇腹の凹凸の旋回方向を、ホース部材の蛇腹の凹凸の旋回方向と一致するように形成したことを特徴とする電気掃除機。
【請求項１１】
前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結するホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第２カバー近傍のホース部材外周を被う蛇腹状のプロテクターを設け、該プロテクターの蛇腹の凹凸のピッチを、凹凸の高さ寸法より大きくしたことを特徴とする電気掃除機。
【請求項１２】
前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結するホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第２カバー近傍のホース部材外周を被う蛇腹状のプロテクターを設け、該プロテクターの蛇腹の凹凸の高さ寸法を、プロテクター内面とホース部材との隙間より大きく形成したことを特徴とする電気掃除機。
【請求項１３】
前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結するホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第２カバー近傍のホース部材外周を被う蛇腹状のプロテクターを設け、該プロテクターの蛇腹の凹凸のピッチを、第２カバーから離れるにしたがって漸次狭くなるように形成したことを特徴とする電気掃除機。
【請求項１４】
前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結するホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第２カバー近傍のホース部材外周を被う蛇腹状のプロテクターを設け、該プロテクターの蛇腹の凹凸の高さ寸法を、第２カバーから離れるにしたがって漸次高くなるように形成したことを特徴とする電気掃除機。
【発明の詳細な説明】
【０００１】
【産業上の利用分野】
本発明は、電気掃除機に係わり、特にそのホースの改良に関する。
【０００２】
【従来の技術】
従来の技術を図１０乃至図１１に基づいて説明する。従来、図に示す如く、電気掃除機のホース21は、可撓性の蛇腹状ホース22の両端部に各々接続部材23、24を接続し、本体側接続部材23を介して掃除機本体25の吸込口26に接続するようになっているが、図１０に示す掃除状態において、掃除機本体25が敷居等の段差に引っ掛かった際等に、ホース21を引っ張って掃除機本体25を引き寄せると、蛇腹状ホース22は接続部材23、24との重合部分端部、即ち、接続部材23、24端部において多大な負荷を受けて急激に屈曲し、このような動作を繰り替えると蛇腹状ホース22が破損する恐れがある。
【０００３】
また、使用者がホース21の手元側を持ち上げると、蛇腹状ホース22が下方に下がるため、蛇腹状ホース22の手元側における蛇腹状ホース22と手元側接続部材24との重合部分近傍が急角度に曲げられると共に、掃除中の吸込具27の前後移動において、吸込具27を使用者側に引き寄せた際には、蛇腹状ホース22の手元側重合部分近傍がさらに急角度に曲げられる。蛇腹状ホース22と接続部材24との重合部分を被うカバー28の寸法が蛇腹状ホース22と接続部材24との重合代と略等しいため、蛇腹状ホース22が接続部材24の端部を支点として急激に曲がり、蛇腹状ホース22の手元側重合部分近傍が疲労して破れる問題がある。
【０００４】
さらに、近年、電気掃除機の収納時には、図11に示すごとく、掃除機本体25を立てた状態に保持し、ホース21及び延長パイプ29等を掃除機本体25に接続したまま延長パイプ29に設けた係止部を掃除機本体25に係止して収納することが行われているが、この収納状態では、蛇腹状ホース22の手元側重合部分近傍が急角度に曲げられた上体に保持されるため、手元側重合部分近傍が疲労して破損する問題がある。
【０００５】
【発明が解決しようとする課題】
本発明は、上記欠点に鑑みなされたもので、ホースの破損を防止することのできる電気掃除機を提供することを課題とする。
【０００６】
【課題を解決するための手段】
本発明の第１の手段は、前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結する可撓性ホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第１カバーのホース部材側にホース部材外周を被う蛇腹状のプロテクターを装着したことを特徴とする。
【０００７】
本発明の第１の手段によれば、掃除時に、掃除機本体が敷居等の段差に引っ掛かった状態で、掃除機本体の進行方向以外の方向へホースを引っ張って掃除機本体を引き寄せた場合、ホースの掃除機本体側である第１接続部材とホース部材の重合部分において、ホース部材が第１接続部材端部から急角度に曲がろうとするが、プロテクターがホース部材の補強となり、ホース部材の湾曲半径が大きくなってホース部材の疲労が小さくなり、耐久性が向上すると共に、ホース部材が折れ曲がって空気の流路が狭まるのが防止される。また、プロテクターは蛇腹状に形成しているので、屈曲に対する耐久性及び強度が向上し、長期にわたってホース部材が保護されると共に、屈曲時に、プロテクターに皺等が生じることがなく、外観が向上する。
【００１２】
本発明の第２の手段は、前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結する蛇腹状のホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第１カバー近傍のホース部材外周を被う蛇腹状のプロテクターを設け、該プロテクターの蛇腹の凹凸の旋回方向を、ホース部材の蛇腹の凹凸の旋回方向と交差するように形成したことを特徴とする。
【００１３】
本発明の第２の手段によれば、掃除時に、掃除機本体が敷居等の段差に引っ掛かった状態で、掃除機本体の進行方向以外の方向へホースを引っ張って掃除機本体を引き寄せた場合に、ホースの掃除機本体側において、ホース部材が第１接続部材端部から急角度に曲がろうとするが、プロテクターがホース部材の補強となって、ホース部材が緩やかな曲がりとなり、ホース部材が保護されると共に、ホース部材が折れ曲がって空気の流路が狭まるのが防止される。また、プロテクターの蛇腹の凹凸の旋回方向を、ホース部材の蛇腹の凹凸の旋回方向と交差するように形成したので、ホース部材が湾曲した際に、ホース部材の凹凸にプロテクターの凹凸が噛み込むことがなく、ホース部材の湾曲性を損なうことがない。
【００１４】
本発明の第３の手段は、前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結する蛇腹状のホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第１カバー近傍のホース部材外周を被う蛇腹状のプロテクターを設け、該プロテクターの蛇腹の凹凸の旋回方向を、ホース部材の蛇腹の凹凸の旋回方向と一致するように形成したことを特徴とする。
【００１５】
本発明の第３の手段によれば、掃除時に、掃除機本体が敷居等の段差に引っ掛かった状態で、掃除機本体の進行方向以外の方向へホースを引っ張って掃除機本体を引き寄せた場合に、ホースの掃除機本体側において、ホース部材が第１接続部材端部から急角度に曲がろうとするが、プロテクターがホース部材の補強となって、ホース部材が緩やかな曲がりとなり、ホース部材が保護されると共に、ホース部材が折れ曲がって空気の流路が狭まるのが防止される。また、プロテクターの蛇腹の凹凸の旋回方向を、ホース部材の蛇腹の凹凸の旋回方向と一致するように形成したので、ホース部材の曲率が大きくなり、ホース部材の耐久性が向上する。
【００１６】
本発明の第４の手段は、前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結するホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第１カバー近傍のホース部材外周を被う蛇腹状のプロテクターを設け、該プロテクターの蛇腹の凹凸のピッチを、凹凸の高さ寸法より大きくしたことを特徴とする。
【００１７】
本発明の第４の手段によれば、掃除時に、掃除機本体が敷居等の段差に引っ掛かった状態で、掃除機本体の進行方向以外の方向へホースを引っ張って掃除機本体を引き寄せた場合に、ホースの掃除機本体側において、ホース部材が第１接続部材端部から急角度に曲がろうとするが、プロテクターがホース部材の補強となって、ホース部材が緩やかな曲がりとなり、ホース部材が保護されると共に、ホース部材が折れ曲がって空気の流路が狭まるのが防止される。また、プロテクターの蛇腹の凹凸のピッチを、凹凸の高さ寸法より大きくしたので、プロテクターを装着してもホース部材の湾曲性が大きく損なわれることがなく、掃除作業性が低下することがない。
【００１８】
本発明の第５の手段は、前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結するホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第１カバー近傍のホース部材外周を被う蛇腹状のプロテクターを設け、該プロテクターの蛇腹の凹凸の高さ寸法を、プロテクター内面とホース部材との隙間より大きく形成したことを特徴とする。
【００１９】
本発明の第５の手段によれば、掃除機本体を起立状態に収納した際、ホースの手元部分である第２接続部材とホース部材の重合部分において、ホース部材が第２接続部材端部から急角度に曲がろうとするが、プロテクターがホース部材の補強となり、ホース部材が保護される。プロテクターの長さを、ホース部材の直径状とすることによりホース部材の湾曲半径が大きくなってホース部材の疲労が小さくなり、耐久性が向上すると共に、ホース部材が折れ曲がって空気の流路が狭まるのが防止される。また、プロテクターの蛇腹の凹凸の高さ寸法を、プロテクター内面とホース部材との隙間より大きく形成したので、わずかな湾曲であってもプロテクターがホース部材とともに湾曲し、ホース部材の耐久性をより向上する。
【００２０】
本発明の第６の手段は、前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結するホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第１カバー近傍のホース部材外周を被う蛇腹状のプロテクターを設け、該プロテクターの蛇腹の凹凸のピッチを、第１カバーから離れるにしたがって漸次狭くなるように形成したことを特徴とする。
【００２１】
本発明の第６の手段によれば、掃除機本体を起立状態に収納した際、ホースの手元部分である第２接続部材とホース部材の重合部分において、ホース部材が第２接続部材端部から急角度に曲がろうとするが、プロテクターがホース部材の補強となり、ホース部材が保護される。プロテクターの長さを、ホース部材の直径状とすることによりホース部材の湾曲半径が大きくなってホース部材の疲労が小さくなり、耐久性が向上すると共に、ホース部材が折れ曲がって空気の流路が狭まるのが防止される。また、プロテクターの蛇腹の凹凸のピッチを、第１カバーから離れるにしたがって漸次狭くなるように形成したので、プロテクターの可撓性が第１カバーから離れるにしたがって漸次大きくなり、プロテクター端部においてホース部材が急角度に曲がるのが防止され、ホース部材の耐久性が向上する。
【００２２】
本発明の第７の手段は、前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結するホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第１カバー近傍のホース部材外周を被う蛇腹状のプロテクターを設け、該プロテクターの蛇腹の凹凸の高さ寸法を、第１カバーから離れるにしたがって漸次高くなるように形成したことを特徴とする。
【００２３】
本発明の第７の手段によれば、掃除機本体を起立状態に収納した際、ホースの手元部分である第２接続部材とホース部材の重合部分において、ホース部材が第２接続部材端部から急角度に曲がろうとするが、プロテクターがホース部材の補強となり、ホース部材が保護される。プロテクターの長さを、ホース部材の直径状とすることによりホース部材の湾曲半径が大きくなってホース部材の疲労が小さくなり、耐久性が向上すると共に、ホース部材が折れ曲がって空気の流路が狭まるのが防止される。また、プロテクターの蛇腹の凹凸の高さ寸法を、第１カバーから離れるにしたがって漸次高くなるように形成したので、プロテクターの可撓性が第１カバーから離れるにしたがって漸次大きくなり、プロテクター端部においてホース部材が急角度に曲がるのが防止され、ホース部材の耐久性が向上する。
【００２４】
本発明の第８の手段は、前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結する可撓性ホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第２カバーのホース部材側にホース部材外周を被う蛇腹状のプロテクターを装着したことを特徴とする。
【００２５】
本発明の第８の手段によれば、掃除機本体を起立状態に収納した際、ホースの手元部分において、ホース部材が第２接続部材端部から急角度に曲がろうとするが、プロテクターがホース部材の補強となり、ホース部材が保護されると共に、ホース部材が折れ曲がって空気の流路が狭まるのが防止される。また、プロテクターは蛇腹状に形成しているので、屈曲に対する耐久性及び強度が向上し、長期にわたってホース部材が保護されると共に、屈曲時に、プロテクターに皺等が生じることがなく、外観が向上する。
【００２９】
本発明の第９の手段は、前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結する蛇腹状のホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第２カバー近傍のホース部材外周を被う蛇腹状のプロテクターを設け、該プロテクターの蛇腹の凹凸の旋回方向を、ホース部材の蛇腹の凹凸の旋回方向と交差するように形成したことを特徴とする。
【００３０】
本発明の第９の手段によれば、掃除機本体を起立状態に収納した際、ホースの手元部分において、ホース部材が第２接続部材端部から急角度に曲がろうとするが、プロテクターがホース部材の補強となり、ホース部材が保護されると共に、ホース部材が折れ曲がって空気の流路が狭まるのが防止される。また、プロテクターの蛇腹の凹凸の旋回方向を、ホース部材の蛇腹の凹凸の旋回方向と交差するように形成したので、ホース部材が湾曲した際に、ホース部材の凹凸にプロテクターの凹凸が噛み込むことがなく、ホース部材の湾曲性を損なうことがない。
【００３１】
本発明の第１０の手段は、前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結する蛇腹状のホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第２カバー近傍のホース部材外周を被う蛇腹状のプロテクターを設け、該プロテクターの蛇腹の凹凸の旋回方向を、ホース部材の蛇腹の凹凸の旋回方向と一致するように形成したことを特徴とする。
【００３２】
本発明の第１０の手段によれば、掃除機本体を起立状態に収納した際、ホースの手元部分において、ホース部材が第２接続部材端部から急角度に曲がろうとするが、プロテクターがホース部材の補強となり、ホース部材が保護されると共に、ホース部材が折れ曲がって空気の流路が狭まるのが防止される。また、プロテクターの蛇腹の凹凸の旋回方向を、ホース部材の蛇腹の凹凸の旋回方向と一致するように形成したので、ホース部材の曲率が大きくなり、ホース部材の耐久性が向上する。
【００３３】
本発明の第１１の手段は、前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結するホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第２カバー近傍のホース部材外周を被う蛇腹状のプロテクターを設け、該プロテクターの蛇腹の凹凸のピッチを、凹凸の高さ寸法より大きくしたことを特徴とする。
【００３４】
本発明の第１１の手段によれば、掃除機本体を起立状態に収納した際、ホースの手元部分において、ホース部材が第２接続部材端部から急角度に曲がろうとするが、プロテクターがホース部材の補強となり、ホース部材が保護されると共に、ホース部材が折れ曲がって空気の流路が狭まるのが防止される。また、プロテクターの蛇腹の凹凸のピッチを、凹凸の高さ寸法より大きくしたので、プロテクターを装着してもホース部材の湾曲性が大きく損なわれることがなく、掃除作業性が低下することがない。
【００３５】
本発明の第１２の手段は、前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結するホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第２カバー近傍のホース部材外周を被う蛇腹状のプロテクターを設け、該プロテクターの蛇腹の凹凸の高さ寸法を、プロテクター内面とホース部材との隙間より大きく形成したことを特徴とする。
【００３６】
本発明の第１２の手段によれば、掃除機本体を起立状態に収納した際、ホースの手元部分において、ホース部材が第２接続部材端部から急角度に曲がろうとするが、プロテクターがホース部材の補強となり、ホース部材が保護されると共に、ホース部材が折れ曲がって空気の流路が狭まるのが防止される。また、プロテクターの蛇腹の凹凸の高さ寸法を、プロテクター内面とホース部材との隙間より大きく形成したので、わずかな湾曲であってもプロテクターがホース部材とともに湾曲し、ホース部材の耐久性をより向上する。
【００３７】
本発明の第１３の手段は、前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結するホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第２カバー近傍のホース部材外周を被う蛇腹状のプロテクターを設け、該プロテクターの蛇腹の凹凸のピッチを、第２カバーから離れるにしたがって漸次狭くなるように形成したことを特徴とする。
【００３８】
本発明の第１３の手段によれば、掃除機本体を起立状態に収納した際、ホースの手元部分において、ホース部材が第２接続部材端部から急角度に曲がろうとするが、プロテクターがホース部材の補強となり、ホース部材が保護されると共に、ホース部材が折れ曲がって空気の流路が狭まるのが防止される。また、プロテクターの蛇腹の凹凸のピッチを、第２カバーから離れるにしたがって漸次広くなるように形成したので、プロテクターの可撓性が第２カバーから離れるにしたがって漸次大きくなり、プロテクター端部においてホース部材が急角度に曲がるのが防止され、ホース部材の耐久性が向上する。
【００３９】
本発明の第１４の手段は、前方に吸込口を形成した掃除機本体と、一端を前記吸込口に着脱自在に接続すると共に他端に延長パイプの一端を接続する可撓性ホースと、前記延長パイプの他端側に取り付けられる床用吸込具とを備え、前記可撓性ホースは、吸込口に接続される第１接続部材と、前記延長パイプに接続される第２接続部材と、前記第１、第２接続部材間を連結するホース部材と、前記第１接続部材に取り付けられ、前記ホース部材と第１接続部材との重合部分を被う第１カバーと、前記第２接続部材に取り付けられ、前記ホース部材と第２接続部材との重合部分を被う第２カバーとから構成すると共に、前記第２カバー近傍のホース部材外周を被う蛇腹状のプロテクターを設け、該プロテクターの蛇腹の凹凸の高さ寸法を、第２カバーから離れるにしたがって漸次高くなるように形成したことを特徴とする。
【００４０】
本発明の第１４の手段によれば、掃除機本体を起立状態に収納した際、ホースの手元部分において、ホース部材が第２接続部材端部から急角度に曲がろうとするが、プロテクターがホース部材の補強となり、ホース部材が保護されると共に、ホース部材が折れ曲がって空気の流路が狭まるのが防止される。また、プロテクターの蛇腹の凹凸の高さ寸法を、第１カバーから離れるにしたがって漸次広くなるように形成したので、プロテクターの可撓性が第２カバーから離れるにしたがって漸次大きくなり、プロテクター端部においてホース部材が急角度に曲がるのが防止され、ホース部材の耐久性が向上する。
【００４１】
【発明の実施の形態】
本発明の第１の実施形態を図１及び図７に基づいて以下に詳述する。
【００４２】
１は掃除機本体で、前方に集塵室を、後方に電動送風機を内蔵する送風機室( いずれも図示せず)を有しており、掃除機本体１前面に集塵室に連通する吸込口 ２が形成されている。
【００４３】
３は一端が前記掃除機本体１の吸込口２に接続されると共に、他端に後述する延長パイプ10を接続する可撓性ホースで、蛇腹状のホース部材４と、該ホース部材４の一端に接続される後述の本体側接続部材８、ホース部材４の他端に接続される後述の手元側接続部材９とを有している。前記ホース部材４は、長手方向に複数の突条５、５、５、６、６を形成して短手方向断面において複数の凹凸を有する高い復元性及び柔軟性を有する合成樹脂性、本実施形態では、ＬＬＰＥを含有したＥＶＡ製のシートを、螺旋状に巻回して螺旋状の突条を有する蛇腹状に形成されており、前記突条６、６には、後述する床用吸込具17の図示しない回転ブラシ駆動用電動機に給電する一対の導電線７、７が配設されている。
【００４４】
８は前記ホース部材４の一端、即ち、掃除機本体１の吸込口２に着脱自在に装着される本体側接続部材で、該本体側接続部材８に設けられた図示しないフックにより吸込口２からの抜け止めを行っている。尚、本体側接続部材８のホース部材４との接続構造は、後述の手元側接続部材９と同様の構造であるので、手元側接続部材９の説明をもって代用する。
【００４５】
９は前記ホース部材４の他端、即ち、延長パイプ10接続側に取り付けられる手元側接続部材、11は前記手元側接続部材９の、ホース部材４接続側端部近傍の外周面に形成された複数の突部で、手元側接続部材９のホース部材接続側端部に、ホース部材４を、その突条の螺旋に沿って捩りながら挿入することにより、突部11がホース部材４の突条６、６、６に噛み込み、ホース部材４を手元側接続部材９に固定するようになっている。12は前記手元側接続部材９の外周面に形成された係止リブで、後述するカバー13が係合するようになっている。
【００４６】
13は一端部に前記手元側接続部材９の係止リブ12に係合する図示しない係合部を有し、係止リブ12と係合部との係合により手元側接続部材９に装着される樹脂製のカバーで、手元側接続部材９とホース部材４との重合部分を、ホース部材４との間に間隙を有して被うようになっている。14は前記カバー13の他端部に形成された係合部となる複数の係合孔で、後述するプロテクター15の係合爪16に係合するようになっており、係合孔14はカバー13を手元側接続部材９に装着した状態で、手元側接続部材９に重合する位置に形成されている。前記カバー13はＡＢＳ、ポリプロピレン等の合成樹脂にて形成することが望ましく、剛性が高く、且つ薬品等による化学変化が起こりにくく、且つ熱に強いポリプロピレン樹脂が最適である。
【００４７】
15は前記カバー13の係合孔14に係合する係合爪16を有するプロテクターで、外径をカバー13内径と略同径に形成すると共に、内径をホース部材４外径より少許大径に形成し、ホース部材４とカバー13との間に挿入し、係合爪16をカバー13の係合孔14に係合して装着されており、装着状態で、係合爪16が手元側接続部材９に重合するようになっている。前記プロテクター15は、カバー13より低い硬度と高い弾力性を有し、且つホース部材４より高い硬度と低い弾力性を有する可撓性材料、例えば、ＴＰＥ等にて形成している。
【００４８】
17は前記延長パイプ10に着脱自在に装着される床用吸込具で、図示しない回転ブラシを駆動する電動機を内蔵している。
【００４９】
而して、手元側接続部材９のホース部材４接続側端部に、ホース部材４を挿入し、手元側接続部材９の突部５に、ホース部材４の突条６、６、６の螺旋を沿わせてホース部材４を捩りながら手元側接続部材９に装着する。そして、手元側接続部材９とホース部材４との重合部分を被うようにカバー13を装着し、カバー13を手元側接続部材９の係止リブ12に係合して固定する。その後、プロテクター15の一端側をホース部材４とカバー13との間に挿入し、プロテクター15の係合爪16をカバー13に形成した係合孔14に係合する。
【００５０】
プロテクター15は係合爪16をカバー13の係合孔14に係合するだけで装着でき、装着作業性を向上することができる。また、プロテクター15の係合爪16は、カバー13の内面側から係合孔14に係合するので、係合爪14に外力が加わりにくく、係合爪16が係合孔14から容易に外れることがない。さらに、プロテクター15の係合爪16は、手元側接続部材９の外側に位置するので、係合爪16に内側方向に外力が加わっても、係合爪16の内側への変形が阻止され、プロテクター15が容易にカバー13から離脱することがない。
【００５１】
掃除する際は、手元側接続部材９近傍を把持して床用吸込具17を前後に摺動する。この手元側接続部材９を把持して持ち上げた状態では、ホース部材４が自重により下方に下がるため、ホース部材４が手元側接続部材９端部近傍から急角度に曲がろうとするが、ホース部材４より強い硬度を有するプロテクター15がホース部材４を補強してホース部材４が急角度に曲がるのを防止し、ホース部材４の破損を防止する。
【００５２】
また、ホース部材４と本体側接続部材８との重合部分においても、上記手元側接続部材９とホース部材４との重合部分と同様の構造であるため、掃除機本体１が敷居等の段差に引っ掛かった状態で、掃除機本体１の進行方向以外の方向へホース３を引っ張って掃除機本体１を引き寄せた場合でも、プロテクター15によってホース部材４が本体側接続部材８の端部を支点に急角度に折れ曲がるのが抑制され、ホース部材４の破損が防止される。
【００５３】
プロテクター15は蛇腹状に形成されているので、屈曲に対する耐久性及び強度が向上し、長期間にわたってホース部材４を保護することができると共に、屈曲時に、プロテクター15に皺等が生じることがなく、外観を向上することができる。また、プロテクター15の蛇腹の凹凸のピッチを、凹凸の高さ寸法より大きくしたので、プロテクター15を装着してもホース部材４の湾曲性が大きく損なわれることがなく、掃除作業性が低下することがない。さらに、プロテクター15の蛇腹の凹凸の高さ寸法を、プロテクター15内面とホース部材４との隙間より大きく形成し、プロテクター15内面とホース部材４外面とを近接させたので、プロテクター15が確実にホース部材４とともに湾曲し、ホース部材４をより確実に保護することができる。
【００５４】
また、プロテクター15の蛇腹の凹凸の螺旋方向がホース部材４の蛇腹の凹凸の螺旋方向と交差するよう構成したので、ホース部材４を湾曲してもプロテクター15の蛇腹の凹凸がホース部材４の蛇腹の凹凸に噛み込まれることがなく、ホース部材４の湾曲性を損なうことがない。
【００５５】
収納する際には、図７に示すごとく、掃除機本体１を起立状態とし、可撓性ホース３、延長パイプ10、床用吸込具17を掃除機本体１に接続した状態で、延長パイプ10に設けた図示しない係合手段を掃除機本体１の係合部に係合し、延長パイプ10を掃除機本体１に係止する。
【００５６】
ホース部材４は、誤ってホース部材４を踏みつけても復元するように復元性及び弾力性の高い材料、本実施形態ではＬＬＰＥを含有したＥＶＡを用いているが、この材料は比較的耐熱性が低いため、収納時に、掃除機本体１を暖房機の近傍や、夏季などの気温の高いときに直射日光が当る場所に配置した場合などには、ホース部材４が熱の影響により柔らかくなり、自重により変形してつぶれ、温度が低下すると、ホース部材４が再び元の固さに戻ってその変形した状態を維持する問題があるが、プロテクター15はホース部材４より耐熱性の高い材料にて形成しているので、温度が高い状態でもプロテクター15によりホース部材４が急激に屈曲することなく、空気の流路が狭まるのを防止することができる。
【００５７】
尚、上述した実施形態では、プロテクター15の蛇腹の凹凸のピッチを均一に形成したが、プロテクター15の蛇腹の凹凸のピッチを、カバー13から離れるにしたがって狭くなるように形成して、カバー13から離れるにしたがってプロテクター15の剛性が弱くなるように構成してもよい。この構成とすることにより、プロテクター15端部においてホース部材４が急激に曲がるのを防止することができる。
【００５８】
また、プロテクター15の蛇腹の凹凸の高さを、カバー４から離れるにしたがって低くなるように形成して、カバー４から離れるにしたがってプロテクター15の剛性が弱くなるように構成してもよい。
【００５９】
さらに、図８及び図９に示す如く、プロテクター15の蛇腹の凹凸の旋回方向を、ホース部材４の蛇腹の旋回方向と一致するように構成してもよい。この構成では、ホース部材４が湾曲すると、ホース部材４の蛇腹の凹凸とプロテクター15の蛇腹の凹凸が噛み合って、ホース部材４の曲率が大きくなり、ホース部材４の耐久性が向上する。
【００６０】
【発明の効果】
以上の如く、本発明の請求項１の構成によれば、プロテクターがホース部材の掃除機本体側の補強となり、簡単な構成でホース部材の急激な屈曲を防止することができ、ホースの耐久性を向上することができる。また、プロテクターを蛇腹状に形成しているので、屈曲に対する耐久性及び強度が向上し、長期にわたってホース部材を保護することができる共に、屈曲時の外観を向上することができる等の効果を奏する。
【００６３】
本発明の請求項２の構成によれば、プロテクターがホース部材の掃除機本体側の補強となり、簡単な構成でホース部材の急激な屈曲を防止することができ、ホースの耐久性を向上することができる。また、プロテクターを蛇腹状に形成しているので、屈曲に対する耐久性及び強度が向上し、長期にわたってホース部材を保護することができる共に、屈曲時の外観を向上することができる。さらに、プロテクターは、蛇腹の凹凸の旋回方向を、ホース部材の蛇腹の凹凸の旋回方向と交差するように形成したので、ホース部材が湾曲した際に、ホース部材の凹凸にプロテクターの凹凸が噛み込むことがなく、ホース部材の湾曲性を損なうことがない等の効果を奏する。
【００６４】
本発明の請求項３の構成によれば、プロテクターがホース部材の掃除機本体側の補強となり、簡単な構成でホース部材の急激な屈曲を防止することができ、ホースの耐久性を向上することができる。また、プロテクターを蛇腹状に形成しているので、屈曲に対する耐久性及び強度が向上し、長期にわたってホース部材を保護することができる共に、屈曲時の外観を向上することができる。さらに、プロテクターは、蛇腹の凹凸の旋回方向を、ホース部材の蛇腹の凹凸の旋回方向と一致するように形成したので、ホース部材の曲率が大きくなり、ホース部材の耐久性を向上することができる等の効果を奏する。
【００６５】
本発明の請求項４の構成によれば、プロテクターがホース部材の掃除機本体側の補強となり、簡単な構成でホース部材の急激な屈曲を防止することができ、ホースの耐久性を向上することができる。また、プロテクターを蛇腹状に形成しているので、屈曲に対する耐久性及び強度が向上し、長期にわたってホース部材を保護することができると共に、屈曲時の外観を向上することができる。さらに、プロテクターの蛇腹の凹凸のピッチを、凹凸の高さ寸法より大きく形成したので、プロテクターを装着してもホース部材の湾曲性が大きく損なわれることがなく、掃除作業性が低下することがない等の効果を奏する。
【００６６】
本発明の請求項５の構成によれば、プロテクターがホース部材の掃除機本体側の補強となり、簡単な構成でホース部材の急激な屈曲を防止することができ、ホースの耐久性を向上することができる。また、プロテクターを蛇腹状に形成しているので、屈曲に対する耐久性及び強度が向上し、長期にわたってホース部材を保護することができると共に、屈曲時の外観を向上することができる。さらに、プロテクターの蛇腹の凹凸の高さ寸法をプロテクター内面とホース部材との隙間より大きく形成したので、僅かな湾曲でもプロテクターがホース部材とともに湾曲し、ホース部材の耐久性をより向上させることができる等の効果を奏する。
【００６７】
本発明の請求項６の構成によれば、プロテクターがホース部材の掃除機本体側の補強となり、簡単な構成でホース部材の急激な屈曲を防止することができ、ホースの耐久性を向上することができる。また、プロテクターを蛇腹状に形成しているので、屈曲に対する耐久性及び強度が向上し、長期にわたってホース部材を保護することができると共に、屈曲時の外観を向上することができる。さらに、プロテクターの蛇腹のピッチを、カバーから離れるにしたがって漸次狭くなるように形成したので、プロテクターの可撓性をカバーから離れるにしたがって漸次大きくすることができ、プロテクター端部においてホース部材が急角度で屈曲するのを防止することができ、ホース部材の耐久性を向上することができる等の効果を奏する。
【００６８】
本発明の請求項７の構成によれば、プロテクターがホース部材の掃除機本体側の補強となり、簡単な構成でホース部材の急激な屈曲を防止することができ、ホースの耐久性を向上することができる。また、プロテクターを蛇腹状に形成しているので、屈曲に対する耐久性及び強度が向上し、長期にわたってホース部材を保護することができると共に、屈曲時の外観を向上することができる。さらに、プロテクターの蛇腹の凹凸の高さ寸法を、カバーから離れるにしたがって漸次高くなるように形成したので、プロテクターの可撓性をカバーから離れるにしたがって漸次大きくすることができ、プロテクター端部においてホース部材が急角度で屈曲するのを防止することができ、ホース部材の耐久性を向上することができる等の効果を奏する。
【００６９】
本発明の請求項８の構成によれば、プロテクターがホースの手元側の補強となり、簡単な構成でホース部材の急激な屈曲を防止することができ、ホースの耐久性を向上することができる。また、プロテクターを蛇腹状に形成しているので、屈曲に対する耐久性及び強度が向上し、長期にわたってホース部材が保護されると共に、屈曲時の外観を向上することができる等の効果を奏する。
【００７２】
本発明の請求項９の構成によれば、プロテクターがホースの手元側の補強となり、簡単な構成でホース部材の急激な屈曲を防止することができ、ホースの耐久性を向上することができる。また、プロテクターを蛇腹状に形成しているので、屈曲に対する耐久性及び強度が向上し、長期にわたってホース部材を保護することができると共に、屈曲時の外観を向上することができる。さらに、プロテクターは、蛇腹の凹凸の旋回方向を、ホース部材の蛇腹の凹凸の旋回方向と交差するように形成したので、ホース部材が屈曲した際に、ホース部材の凹凸にプロテクターの凹凸が噛み込むことがなく、ホース部材の湾曲性を損なうことがない等の効果を奏する。
【００７３】
本発明の請求項１０の構成によれば、プロテクターがホースの手元側の補強となり、簡単な構成でホース部材の急激な屈曲を防止することができ、ホースの耐久性を向上することができる。また、プロテクターを蛇腹状に形成しているので、屈曲に対する耐久性及び強度が向上し、長期にわたってホース部材を保護することができると共に、屈曲時の外観を向上することができる。さらに、プロテクターは、蛇腹の凹凸の旋回方向を、ホース部材の蛇腹の凹凸の旋回方向と一致するように形成したので、ホース部材の曲率が大きくなり、ホース部材の耐久性を向上することができる等の効果を奏する。
【００７４】
本発明の請求項１１の構成によれば、プロテクターがホースの手元側の補強となり、簡単な構成でホース部材の急激な屈曲を防止することができ、ホースの耐久性を向上することができる。また、プロテクターを蛇腹状に形成しているので、屈曲に対する耐久性及び強度が向上し、長期にわたってホース部材を保護することができると共に、屈曲時の外観を向上することができる。さらに、プロテクターの蛇腹の凹凸のピッチを、凹凸の高さ寸法より大きく形成したので、プロテクターを装着してもホース部材の湾曲性が損なわれることがなく、掃除作業性が低下することがない等の効果を奏する。
【００７５】
本発明の請求項１２の構成によれば、プロテクターがホースの手元側の補強となり、簡単な構成でホース部材の急激な屈曲を防止することができ、ホースの耐久性を向上することができる。また、プロテクターを蛇腹状に形成しているので、屈曲に対する耐久性及び強度が向上し、長期にわたってホース部材を保護することができると共に、屈曲時の外観を向上することができる。さらに、プロテクターの蛇腹の凹凸の高さ寸法を、プロテクター内面とホース部材との隙間より大きく形成したので、わずかな湾曲であっても、プロテクターがホース部材とともに湾曲し、ホース部材の耐久性をより向上することができる等の効果を奏する。
【００７６】
本発明の請求項１３の構成によれば、プロテクターがホースの手元側の補強となり、簡単な構成でホース部材の急激な屈曲を防止することができ、ホースの耐久性を向上することができる。また、プロテクターを蛇腹状に形成しているので、屈曲に対する耐久性及び強度が向上し、長期にわたってホース部材を保護することができると共に、屈曲時の外観を向上することができる。さらに、プロテクターの蛇腹の凹凸のピッチを、カバーから離れるにしたがって漸次狭くなるように形成したので、プロテクターの可撓性がカバーから離れるにしたがって漸次大きくなり、プロテクター端部においてホース部材が急角度で屈曲するのを防止することができ、ホース部材の耐久性を向上することができる等の効果を奏する。
【００７７】
本発明の請求項１４の構成によれば、プロテクターがホースの手元側の補強となり、簡単な構成でホース部材の急激な屈曲を防止することができ、ホースの耐久性を向上することができる。また、プロテクターを蛇腹状に形成しているので、屈曲に対する耐久性及び強度が向上し、長期にわたってホース部材を保護することができると共に、屈曲時の外観を向上することができる。さらに、プロテクターの蛇腹の凹凸の高さ寸法を、カバーから離れるにしたがって漸次高くなるように形成したので、プロテクターの可撓性がカバーから離れるにしたがって漸次大きくなり、プロテクター端部においてホース部材が急角度で屈曲するのを防止することができ、ホース部材の耐久性を向上することができる等の効果を奏する。
【図面の簡単な説明】
【図１】本発明の一実施形態を示す要部拡大断面図である。
【図２】同ホース部材の屈曲状態を示す要部拡大断面図である。
【図３】同プロテクターの側面図である。
【図４】同プロテクターの他の方向から見た断面図である。
【図５】同ホース部材の一部を破断した側面図である。
【図６】同使用状態の電気掃除機の斜視図である。
【図７】同収納状態の電気掃除機の斜視図である。
【図８】本発明の他の実施形態を示す要部拡大断面図である。
【図９】同プロテクターの装着状態を示す要部拡大断面図である。
【図１０】同使用状態の電気掃除機の斜視図である。
【図１１】同収納状態の電気掃除機の斜視図である。
【符号の説明】
１          掃除機本体
２          吸込口
３          可撓性ホース
４          ホース部材
８          本体側接続部材
９          手元側接続部材
10          延長パイプ
13          カバー
14          係合孔
15          プロテクター
16          係合爪
17          床用吸込具
【図１】
0003691125.tif 000002
【図２】
0003691125.tif 000003
【図３】
0003691125.tif 000004
【図４】
0003691125.tif 000005
【図５】
0003691125.tif 000006
【図６】
0003691125.tif 000007
【図７】
0003691125.tif 000008
【図８】
0003691125.tif 000009
【図９】
0003691125.tif 000010
【図１０】
0003691125.tif 000011
【図１１】
0003691125.tif 000012